(57)【要約】【課題】過熱器で飽和蒸気を過熱する際の飽和蒸気への伝熱量が低下することを抑制し、飽和蒸気を安定して過熱することができる蒸気過熱システムを提供する。【解決手段】本発明に係る蒸気過熱システム１０は、ボイラ１２と、過熱器１３と、飽和蒸気配管Ｌ１２と、過熱蒸気配管Ｌ１３とを有し、過熱器１３への過熱媒体２１の供給を停止している時に、過熱器１３の伝熱管２３に洗浄媒体として飽和蒸気Ｓｔ１を送気して、過熱器１３内の洗浄を行うものである。これにより、伝熱管２３の内面に付着した蒸発残渣を除去して伝熱管２３の内面の洗浄を行なうことができるので、飽和蒸気Ｓｔ１を過熱する際に飽和蒸気Ｓｔ１への伝熱量が低下するのが抑制され、飽和蒸気Ｓｔ１を安定して過熱することができる。【選択図】図１
2014055696.tif 000002
【特許請求の範囲】
【請求項１】
水を加熱して蒸気を発生させる蒸気発生装置と、
前記蒸気発生装置で発生した前記蒸気を過熱する蒸気過熱装置と、
前記蒸気を前記蒸気発生装置から前記蒸気過熱装置に送気する飽和蒸気供給経路と、
前記蒸気過熱装置で前記蒸気を過熱した過熱蒸気を蒸気使用設備に送気する過熱蒸気供給経路と、
を有し、
前記蒸気過熱装置の運転を停止している時に、前記蒸気過熱装置内の前記蒸気が通過する流路に洗浄媒体を供給して、前記蒸気過熱装置内の洗浄を行うことを特徴とする蒸気過熱システム。
【請求項２】
請求項１において、
前記蒸気発生装置の運転時間を計測する運転計測手段を設け、
前記蒸気発生装置に供給される水の水質と、前記運転計測手段で計測された前記蒸気発生装置の運転時間とから前記蒸気発生装置内の水の濃縮度を求め、
前記濃縮度から前記蒸気発生装置で発生する前記蒸気の乾き度を推定し、
前記蒸気の乾き度と、前記蒸気発生装置の運転時間から得られる前記水の蒸発量とから、前記蒸気過熱装置内の蒸発残渣の発生量を算出し、
前記蒸発残渣の発生量が設定値を超えた場合は、前記蒸気過熱装置の前記蒸気が通過する流路に前記洗浄媒体を供給することを特徴とする蒸気過熱システム。
【請求項３】
請求項１において、
前記蒸気発生装置の運転時間を計測する運転計測手段と、
前記蒸気発生装置内の前記水の濃縮度を検出する濃縮度検出手段とを設け、
前記濃縮度検出手段で検出された前記濃縮度から前記蒸気発生装置で発生する前記蒸気の乾き度を推定し、
前記蒸気の乾き度と、前記運転計測手段で計測された前記蒸気発生装置の運転時間から得られる前記水の蒸発量とから、前記蒸気過熱装置内の蒸発残渣の発生量を算出し、
前記蒸発残渣の発生量が設定値を超えた場合は、前記蒸気過熱装置の前記蒸気が通過する流路に前記洗浄媒体を供給することを特徴とする蒸気過熱システム。
【請求項４】
請求項１において、
前記蒸気発生装置または前記蒸気過熱装置の運転時間が所定時間経過した後、前記蒸気過熱装置内に前記洗浄媒体を供給することを特徴とする蒸気過熱システム。
【請求項５】
請求項１乃至４の何れか１つにおいて、
前記洗浄媒体は、蒸気または水であることを特徴とする蒸気過熱システム。
【発明の詳細な説明】
【技術分野】
【０００１】
本発明は、蒸気過熱システムに関する。
【背景技術】
【０００２】
飽和蒸気は、温度の制御が簡単であり、熱の輸送も容易であるといった理由から熱源として広く利用されている。飽和蒸気の温度は蒸気圧力によって定まっているため、飽和蒸気の圧力を調節することで飽和蒸気の温度を制御することができる。
【０００３】
従来より、ボイラから排出される飽和蒸気を過熱器を用いて過熱した後、蒸気使用機器に送気する蒸気供給システムが提案されている（例えば、特許文献１、２参照）。
【０００４】
特許文献１では、バーナにより加熱して飽和蒸気を発生させる蒸気ボイラと、蒸気ボイラで発生した飽和蒸気を蒸気ボイラから排出される排出ガスによって過熱蒸気にする過熱器とを備えた過熱蒸気発生装置が開示されている。
【０００５】
特許文献２では、多数の伝熱管群で構成された管群構造を有するボイラにおいて、上流側缶体と下流側缶体との間に伝熱蒸気管を持った蒸気過熱器を設けて伝熱蒸気管内を通る飽和蒸気を過熱蒸気にするボイラが開示されている。
【先行技術文献】
【特許文献】
【０００６】
【特許文献１】特開２００８−３２２３５号公報
【特許文献２】特開２０００−１９３２０５号公報
【発明の概要】
【発明が解決しようとする課題】
【０００７】
特許文献１のような過熱蒸気発生装置、特許文献２のようなボイラは、いずれもボイラから発生する飽和蒸気を過熱器に導入して過熱し、過熱蒸気にするものである。しかし、ボイラから発生する飽和蒸気はいくらかの水を含んでいる。また、ボイラに供給される水中にはナトリウムイオン、塩化物イオンといったイオンなどの不純物が存在している場合がある。そのため、ある程度の湿りを持つ飽和蒸気を過熱器に送気して過熱器で過熱すると、過熱器内の飽和蒸気が通る流通管（伝熱管）の内面にはボイラに供給される水中に含まれる不純物が蒸発残渣として付着する可能性がある。伝熱管の内面に蒸発残渣が付着すると、過熱器は飽和蒸気を過熱する熱源から過熱器の伝熱管を通る飽和蒸気への伝熱量が低下し、過熱器で飽和蒸気を安定して過熱することができない可能性がある。
【０００８】
本発明は、上記に鑑みてなされたものであって、過熱器で飽和蒸気を過熱する際の飽和蒸気への伝熱量が低下することを抑制し、飽和蒸気を安定して過熱することができる蒸気過熱システムを提供することを目的とする。
【課題を解決するための手段】
【０００９】
本発明に係る蒸気過熱システムは、水を加熱して蒸気を発生させる蒸気発生装置と、前記蒸気発生装置で発生した前記蒸気を過熱する蒸気過熱装置と、前記蒸気を前記蒸気発生装置から前記蒸気過熱装置に送気する飽和蒸気供給経路と、前記蒸気過熱装置で前記蒸気を過熱した過熱蒸気を蒸気使用設備に送気する過熱蒸気供給経路と、を有し、前記蒸気過熱装置の運転を停止している時に、前記蒸気過熱装置内の前記蒸気が通過する流路に洗浄媒体を供給して、前記蒸気過熱装置内の洗浄を行うことを特徴とする。
【００１０】
本発明の好ましい態様として、前記蒸気発生装置の運転時間を計測する運転計測手段を設け、前記蒸気発生装置に供給される水の水質と、前記運転計測手段で計測された前記蒸気発生装置の運転時間とから前記蒸気発生装置内の水の濃縮度を求め、前記濃縮度から前記蒸気発生装置で発生する前記蒸気の乾き度を推定し、前記蒸気の乾き度と、前記蒸気発生装置の運転時間から得られる前記水の蒸発量とから、前記蒸気過熱装置内の蒸発残渣の発生量を算出し、前記蒸発残渣の発生量が設定値を超えた場合は、前記蒸気過熱装置の前記蒸気が通過する流路に前記洗浄媒体を供給することが好ましい。
【００１１】
本発明の好ましい態様として、前記蒸気発生装置の運転時間を計測する運転計測手段と、前記蒸気発生装置内の前記水の濃縮度を検出する濃縮度検出手段とを設け、前記濃縮度検出手段で検出された前記濃縮度から前記蒸気発生装置で発生する前記蒸気の乾き度を推定し、前記蒸気の乾き度と、前記運転計測手段で計測された前記蒸気発生装置の運転時間から得られる前記水の蒸発量とから、前記蒸気過熱装置内の蒸発残渣の発生量を算出し、前記蒸発残渣の発生量が設定値を超えた場合は、前記蒸気過熱装置の前記蒸気が通過する流路に前記洗浄媒体を供給することが好ましい。
【００１２】
本発明の好ましい態様として、前記蒸気発生装置または前記蒸気過熱装置の運転時間が所定時間経過した後、前記蒸気過熱装置内に前記洗浄媒体を供給することが好ましい。
【００１３】
本発明の好ましい態様として、前記洗浄媒体は、蒸気または水であることが好ましい。
【発明の効果】
【００１４】
本発明によれば、蒸気過熱装置の運転を停止している時に、蒸気過熱装置内の蒸気が通過する流路に洗浄媒体を供給して、蒸気過熱装置内の洗浄を行っているため、過熱器で飽和蒸気を過熱する際の飽和蒸気への伝熱量が低下することを抑制し、飽和蒸気を安定して過熱することができる。
【図面の簡単な説明】
【００１５】
【図１】本発明の第１の実施形態に係る蒸気過熱システムの概略構成を示す図である。
【図２】本発明の第２の実施形態に係る蒸気過熱システムの概略構成を示す図である。
【図３】本発明の第３の実施形態に係る蒸気過熱システムの概略構成を示す図である。
【図４】蒸気過熱システムの他の構成の一例を示す図である。
【発明を実施するための形態】
【００１６】
以下、本発明を好適に実施するための形態（以下、実施形態という。）につき、詳細に説明する。尚、本発明は以下の実施形態に記載した内容により限定されるものではない。また、以下に記載した実施形態における構成要素には、当業者が容易に想定できるもの、実質的に同一のもの、いわゆる均等の範囲のものが含まれる。更に、以下に記載した実施形態で開示した構成要素は適宜組み合わせてもよいし、適宜選択して用いてもよい。
【００１７】
［第１の実施形態］
＜蒸気過熱システム＞
本発明の第１の実施形態に係る蒸気過熱システムについて説明する。図１は、本発明の第１の実施形態に係る蒸気過熱システムの概略構成を示す図である。なお、図１では、飽和蒸気を過熱器で過熱している時および過熱器の伝熱管の内面を洗浄している時の飽和蒸気と過熱蒸気とを同時に示す。図１に示すように、本実施形態に係る蒸気過熱システム１０は、加熱源、動力源などとして蒸気を使用して作動する蒸気使用機器（負荷機器）１１に蒸気を供給するシステムである。本実施形態に係る蒸気過熱システム１０は、ボイラ（蒸気発生装置）１２と、蒸気供給経路Ｌ１１と、過熱器（蒸気過熱装置）１３と、制御装置１４とを備える。
【００１８】
（ボイラ）
ボイラ１２は、種々の熱源方式によって飽和蒸気Ｓｔ１を発生させるものである。ボイラ１２は、燃焼式のボイラ、電気式のボイラなど種々の形式のものを用いることができる。ボイラ１２は、燃焼式の場合、燃料を燃焼させた際の燃焼熱を熱源として、缶体内の缶水を蒸発させ、飽和蒸気Ｓｔ１を発生させる。この場合、燃料としては、例えば、都市ガス、プロパンガス、バイオガスなどの気体燃料、重油、灯油などの液体燃料などが用いられる。ボイラ１２は、燃焼式の場合、例えば、貫流ボイラ、炉筒煙管ボイラ、水管ボイラなどが挙げられる。ボイラ１２は、電気式の場合、電気ヒータなどを熱源として缶体内の缶水を蒸発させ飽和蒸気Ｓｔ１を発生させる。
【００１９】
なお、本実施形態において、飽和蒸気Ｓｔ１とは、わずかに液体の水を含む蒸気から１００％乾き蒸気までの範囲の蒸気である。
【００２０】
（蒸気供給経路）
蒸気供給経路Ｌ１１は、ボイラ１２で発生した飽和蒸気Ｓｔ１をボイラ１２から蒸気使用機器１１に送気するための蒸気供給ラインである。本実施形態においては、蒸気供給経路Ｌ１１は、飽和蒸気配管（飽和蒸気供給経路）Ｌ１２と過熱蒸気配管（過熱蒸気供給経路）Ｌ１３とを含む。また、蒸気供給経路Ｌ１１は、経路内を流れる蒸気の流量を調節するための流量調節弁などを含んでいてもよい。
【００２１】
飽和蒸気配管Ｌ１２は、ボイラ１２の蒸気流出口と過熱器１３の蒸気流入口とを接続し、飽和蒸気Ｓｔ１を過熱器１３に送気する。
【００２２】
過熱蒸気配管Ｌ１３は、過熱器１３の蒸気流出口と蒸気使用機器１１の蒸気流入口とを接続し、過熱蒸気Ｓｔ２を蒸気使用機器１１に送気する。
【００２３】
（過熱器）
過熱器１３は、ボイラ１２によって発生させた飽和蒸気Ｓｔ１を過熱して過熱蒸気Ｓｔ２にするものである。過熱器１３は、シェルアンドチューブ式熱交換器（多管式熱交換器）である。過熱器１３は、過熱器１３のシェル（胴体）側を１次側として、胴体内に過熱媒体２１を流通させ、チューブ（伝熱管）２３側を２次側として、伝熱管２３内に被過熱蒸気である飽和蒸気Ｓｔ１を流通させる。過熱媒体２１としては、例えば、熱媒ボイラからの高温の熱媒油、ボイラ１２から排出される燃焼ガスなどが用いられる。また、過熱媒体２１として、他のボイラから供給される飽和蒸気Ｓｔ１よりも温度が高い高圧蒸気を用いる場合は、過熱器１３は、伝熱管２３側を１次側として、伝熱管２３内に過熱媒体２１を流通させ、胴体側を２次側として、胴体内に飽和蒸気Ｓｔ１を流通させる。すなわち、圧力の高い側を伝熱管２３側に流通させるようにする。また、過熱器１３内に過熱媒体２１を供給する通路はその途中に流量調節弁Ｖ１１を設けており、過熱器１３内に供給する過熱媒体２１の供給量は流量調節弁Ｖ１１により調節される。
【００２４】
過熱器１３は、胴体側に供給される過熱媒体２１を熱源として用い、飽和蒸気配管Ｌ１２から送気される飽和蒸気Ｓｔ１を伝熱管２３内に流通させて、伝熱管２３の内面（被過熱面）を蒸発面として飽和蒸気Ｓｔ１を過熱し、過熱蒸気Ｓｔ２を得る。
【００２５】
過熱器１３は蒸気排出配管Ｌ１４と連結されている。蒸気排出配管Ｌ１４は、過熱器１３内の洗浄に用いる飽和蒸気Ｓｔ１を排出するためのラインである。蒸気排出配管Ｌ１４はその途中に排出弁２４を設けている。また、蒸気排出配管Ｌ１４は、後述するように、過熱蒸気配管Ｌ１３を通る飽和蒸気Ｓｔ１を排出する洗浄媒体排出配管Ｌ１５と連結されている。なお、本実施形態においては、蒸気排出配管Ｌ１４は洗浄媒体排出配管Ｌ１５と連結されているが、蒸気排出配管Ｌ１４は洗浄媒体排出配管Ｌ１５と連結せず、蒸気排出配管Ｌ１４内を通る飽和蒸気Ｓｔ１をそのまま排出してもよい。
【００２６】
過熱器１３は、制御装置１４によって加熱量が制御される。過熱器１３における加熱量は、過熱器１３内を通過する飽和蒸気Ｓｔ１に付与される熱量に相当する。過熱器１３における加熱量は、制御装置１４が過熱器１３内に供給される過熱媒体２１の供給量（流量）、温度などを調節することで増減することができる。過熱器１３における加熱量が大きくなるほど、飽和蒸気Ｓｔ１に付与する熱量が大きくなるため、過熱蒸気Ｓｔ２の過熱度は高くなる。
【００２７】
（センサ等）
本実施形態に係る蒸気過熱システム１０は、ボイラ１２、蒸気供給経路Ｌ１１などに種々のセンサなどを含んでいる。これらのセンサは、制御装置１４と電気的に接続されている。本実施形態に係る蒸気過熱システム１０は、蒸気供給経路Ｌ１１に、圧力センサ２５、蒸気温度センサ２６を有し、ボイラ１２の内部に、濃縮度センサ（濃縮度検出手段）２７、缶体内用圧力センサ（圧力検出手段）２８を有している。
【００２８】
圧力センサ２５は、飽和蒸気配管Ｌ１２に設けられ、飽和蒸気配管Ｌ１２内の圧力を検出するものである。
【００２９】
蒸気温度センサ２６は、過熱蒸気配管Ｌ１３に設けられ、過熱蒸気配管Ｌ１３内を通る過熱蒸気Ｓｔ２の温度を検出するものである。
【００３０】
濃縮度センサ２７は、ボイラ１２に設けられ、ボイラ１２の缶体内の缶水の濃縮倍数（濃縮度）を検出するものである。なお、缶水の濃縮度とは、ボイラ１２を所定時間運転したときの缶水中の不純物が濃縮される割合をいう。濃縮度センサ２７は、例えば、缶水の電気伝導度（１／缶水の電気抵抗）［ｍＳ／ｍ（ミリジーメンス毎メートル）］を検出する。ボイラ１２内の缶水は、缶水の濃縮度が高くなるほどイオン分が多くなり電気を通し易くなるため、電気伝導度が大きくなる。濃縮度センサ２７は、この原理を利用してボイラ１２内の缶水の濃縮度を検出する。
【００３１】
缶体内用圧力センサ２８は、ボイラ１２の缶体に設けられ、ボイラ１２の缶体の内部の圧力を測定するものである。
【００３２】
圧力センサ２５、蒸気温度センサ２６、濃縮度センサ２７および缶体内用圧力センサ２８は、それぞれ検出結果に対応した電気信号を制御装置１４に送信する。
【００３３】
本実施形態に係る蒸気過熱システム１０は、過熱蒸気配管Ｌ１３に三方弁２９を設けている。三方弁２９は、洗浄媒体排出配管Ｌ１５と連結されている。三方弁２９は、制御装置１４により制御され、過熱蒸気配管Ｌ１３内を通る過熱蒸気Ｓｔ２を蒸気使用機器１１に送気するか、後述するように、飽和蒸気Ｓｔ１を洗浄媒体排出配管Ｌ１５を通して排出するように蒸気の流路を切替える。
【００３４】
（制御装置）
制御装置１４は、本実施形態に係る蒸気過熱システム１０の各部を制御するものである。制御装置１４は、例えば、圧力センサ２５、蒸気温度センサ２６、濃縮度センサ２７、缶体内用圧力センサ２８などの本実施形態に係る蒸気過熱システム１０の各所に取り付けられた種々のセンサが電気的に接続され、検出結果に対応した電気信号が入力される。また、制御装置１４は、各種センサから入力された各種入力信号に基づいて、過熱器１３などの各部に制御信号を出力し、これらを制御する。また、制御装置１４は、ボイラ１２、過熱器１３などの運転時間を計測する計測器（運転計測手段）３０を有する。
【００３５】
ところで、過熱器１３に送気される飽和蒸気Ｓｔ１の乾き度は、一般的に９９．５％程度であるため、飽和蒸気Ｓｔ１はいくらかの水を含んでおり、ある程度の湿りを持っている。また、ボイラ１２には、通常、軟水器によりカルシウム、マグネシウムなどの硬度分を除去した軟水が供給されていることから、ボイラ１２に供給される水（以下、ボイラ１２への給水という。）にはナトリウムイオン、塩化物イオンなどが存在している（以下、これを「不純物」と称する。）。なお、ボイラ１２への給水中に含まれるナトリウムイオンは、軟水器で除去されるカルシウム、マグネシウムなどの陽イオンに対して給水中に放出されるものである。軟水器は陽イオン交換樹脂のみで構成されている。ボイラ１２への給水用として用いられる水（以下、原水という。）を軟水器に通水すると、陽イオン交換樹脂は通水中のカルシウムイオン、マグネシウムイオンなどの陽イオンを取り込む。そして、陽イオン交換樹脂は取り込んだ陽イオンの代わりにナトリウムイオンを通水中に排出する。缶水に含まれるこうした不純物が飽和蒸気Ｓｔ１に含まれると、飽和蒸気Ｓｔ１に同伴してボイラ１２から排出されて過熱器１３に供給される。ある程度の湿りを持つ飽和蒸気Ｓｔ１を過熱器１３で過熱すると、伝熱管２３の蒸発面側には塩化ナトリウムなどが結晶化して蒸発残渣として付着する。
【００３６】
伝熱管２３の内面に蒸発残渣が付着すると、過熱器１３は飽和蒸気Ｓｔ１を過熱する熱源から伝熱管２３内を通る飽和蒸気Ｓｔ１への伝熱量が低下し、飽和蒸気Ｓｔ１を安定して過熱することができない可能性がある。そこで、制御装置１４は、過熱器１３への過熱媒体２１の供給を停止して過熱器１３の運転を停止している時に、伝熱管２３に洗浄媒体を供給する。
【００３７】
制御装置１４は、飽和蒸気Ｓｔ１の乾き度を推定して、推定された飽和蒸気Ｓｔ１の乾き度の値を用いてボイラ１２から排出される飽和蒸気Ｓｔ１に含まれる不純物に起因して生じる蒸発残渣の発生量を算出し、蒸発残渣の発生量に応じて洗浄媒体を過熱器１３内に供給してもよい。また、制御装置１４は、飽和蒸気Ｓｔ１の乾き度を推定せず、ボイラ１２または過熱器１３の運転時間に応じて洗浄媒体を過熱器１３内に供給してもよい。
【００３８】
ボイラ１２は、運転時間が長くなると、蒸発を繰り返すことで缶水中の不純物の濃度が高くなり、缶体内の缶水の泡立ちが大きくなる傾向にある。ボイラ１２は、缶水の泡立ちが大きくなると、缶水の一部が蒸気に混入する、いわゆるキャリーオーバーと呼ばれる現象が起こり、飽和蒸気Ｓｔ１の乾き度は低下する。このため、ボイラ１２は、缶水の濃縮度が許容値を超えた場合、運転時間が設定時間を超えた場合などに、ボイラ１２の運転終了時にボイラ１２内の缶水を全て排出する全ブローを行い、全ての缶水を新水に入れ替え、飽和蒸気Ｓｔ１の乾き度を許容される範囲内に保つようにする。また、一般的には、ボイラ１２の運転中は、缶水の濃縮度が許容値以下で維持されるよう、ボイラ１２の運転を行いながら、缶水の一部を排出し、新水と入れ替える濃縮ブロー（間欠ブロー）操作を自動で行い、飽和蒸気Ｓｔ１の乾き度を許容される範囲内に保つようにしている。
【００３９】
ボイラ１２の運転時間が長くなると缶水の濃縮が進み、飽和蒸気Ｓｔ１の乾き度は低くなるが、同じ濃縮度まで缶水が濃縮する場合のボイラ１２の運転時間は、ボイラ１２への給水の水質によって変わる。原水がマグネシウム、カルシウムなどの硬度分を多く含む、例えば地下水のような水、原水が塩化物イオンを多く含む水などである場合は、初期の給水に含まれる不純物の量が多くなる（電気伝導度が高くなる）。そのため、ボイラ１２の運転時間が短くても缶水の濃縮が進み、飽和蒸気Ｓｔ１の乾き度が低下する。よって、ボイラ１２への給水の水質（電気伝導度）は、飽和蒸気Ｓｔ１の乾き度を推定するために予め検査し取得して把握しておくか、濃縮度センサ２７などを用いて計測する必要がある。なお、ボイラ１２の運転時間は、典型的には、前回の全ブローからの総運転時間を用いればよい。この場合、ボイラ１２の運転時間は、例えば、１００％負荷で１時間作動させた場合を１時間とし、５０％負荷で１時間作動させた場合を０．５時間とし、前回の全ブローからの時間を積算していけばよい。
【００４０】
このように、飽和蒸気Ｓｔ１の乾き度は、ボイラ１２の内部の缶水の濃縮度が高いほど、低くなる傾向にある。特に、飽和蒸気Ｓｔ１の乾き度は、ボイラ１２の運転時間が長いほどボイラ１２の内部の缶水の濃縮度が高くなるため、低くなる傾向にある。そのため、飽和蒸気Ｓｔ１の乾き度は、ボイラ１２への給水の水質とボイラ１２の運転時間、または濃縮度センサ２７で検出された缶水の濃縮度を用いて求められる。また、ボイラ１２の運転時間は、制御装置１４の計測器３０によって計測されるボイラ１２の運転時間を用いることができる。
【００４１】
そこで、一例として、制御装置１４が、ボイラ１２への給水の水質とボイラ１２の運転時間とから飽和蒸気Ｓｔ１の乾き度を推定して、推定された飽和蒸気Ｓｔ１の乾き度を用いて伝熱管２３の内面に付着した蒸発残渣の発生量を算出する場合について説明する。
【００４２】
制御装置１４は、ボイラ１２への給水の水質とボイラ１２の運転時間とを、飽和蒸気Ｓｔ１の乾き度のパラメータとして用い、ボイラ１２への給水の水質とボイラ１２の運転時間とから缶体内の缶水の濃縮度を求める。制御装置１４は、ボイラ１２を作動させた際の負荷を考慮しつつボイラ１２の運転時間を求める。そして、制御装置１４は、ボイラ１２への給水の水質と、得られた缶水の濃縮度とから飽和蒸気Ｓｔ１の乾き度を推定する。
【００４３】
制御装置１４は、ボイラ１２への給水の水質と、上記のようにボイラ１２の運転時間から推定される缶水の濃縮度と、これらから推定される飽和蒸気Ｓｔ１の乾き度との相関を示す情報をマップにして記憶している。制御装置１４は、予め記憶しているマップを用いて、ボイラ１２への給水の水質と、ボイラ１２の運転時間から推定される缶水の濃縮度とから、飽和蒸気Ｓｔ１の乾き度を推定する。
【００４４】
このようにして算出された飽和蒸気Ｓｔ１中の水の割合と、算出された飽和蒸気Ｓｔ１中の水分に含まれる不純物の濃度とから、制御装置１４は、伝熱管２３の内面に付着した蒸発残渣の発生量を算出することができる。
【００４５】
さらに、飽和蒸気Ｓｔ１の乾き度を精度良く推定する方法として、濃縮度センサ２７で実際に検出された缶水の濃縮度を用いてもよい。次に、制御装置１４が、濃縮度センサ２７で実際に検出された缶水の濃縮度から飽和蒸気Ｓｔ１の乾き度を推定して、推定された飽和蒸気Ｓｔ１の乾き度を用いて伝熱管２３の内面に付着した蒸発残渣の発生量を算出する場合について説明する。
【００４６】
制御装置１４は、上述のように、缶水の濃縮度と、缶水の濃縮度から推定される飽和蒸気Ｓｔ１の乾き度との相関を示す情報をマップにして記憶している。制御装置１４は、このマップを用いて、濃縮度センサ２７で検出された缶水の濃縮度から、ボイラ１２で発生した飽和蒸気Ｓｔ１の乾き度を推定する。制御装置１４は、飽和蒸気Ｓｔ１の乾き度を推定した後、上述と同様にして、飽和蒸気Ｓｔ１の乾き度と、ボイラ１２の運転時間から得られる缶水の蒸発量とから、過熱器１３の伝熱管２３の内面に付着した蒸発残渣の発生量を算出することができる。
【００４７】
また、飽和蒸気Ｓｔ１の乾き度は、ボイラ１２の缶体内の圧力により缶体内の沸騰状況が変わるため、ボイラ１２の缶体内の圧力が低く、かつ燃焼負荷が高いほど、低くなる傾向にある。そのため、制御装置１４は、飽和蒸気Ｓｔ１の乾き度を推定する際、さらに飽和蒸気Ｓｔ１の乾き度の推定の精度を上げるために、飽和蒸気Ｓｔ１の乾き度のパラメータとして、ボイラ１２の缶水の濃縮度のほかに、ボイラ１２の缶体内の圧力、ボイラ１２の燃焼量なども用いて推定してもよい。なお、このとき、ボイラ１２の運転時間はボイラ１２の燃焼量の検出結果などに基づいて算出してもよい。
【００４８】
制御装置１４は、上記のように算出された蒸発残渣の発生量に応じて、過熱器１３の伝熱管２３の被過熱面である内面の洗浄を行うように流量調節弁Ｖ１１等を制御する。なお、本実施形態においては、洗浄媒体として飽和蒸気Ｓｔ１を用いる。具体的には、制御装置１４は、蒸発残渣の発生量が所定の設定値を超えたと判断した場合、それ以降で蒸気使用機器１１の運転が停止したときまたは蒸気使用機器１１が過熱蒸気Ｓｔ２を使用しなくなったとき、流量調節弁Ｖ１１を閉じて過熱器１３への過熱媒体２１の供給を停止する。つぎに、制御装置１４は、三方弁２９を操作して過熱器１３から送気される飽和蒸気Ｓｔ１が洗浄媒体排出配管Ｌ１５へ流れる方向に流路を切替えると共に、蒸気排出配管Ｌ１４に設けた排出弁２４を開く。ボイラ１２から伝熱管２３内に送気された飽和蒸気Ｓｔ１は、過熱器１３の伝熱管２３の内面に付着している蒸発残渣を溶かしつつ流れる。過熱器１３から過熱蒸気配管Ｌ１３に排出された飽和蒸気Ｓｔ１は洗浄媒体排出配管Ｌ１５を通って外部に排出される。また、過熱器１３内の飽和蒸気Ｓｔ１の一部は蒸気排出配管Ｌ１４および洗浄媒体排出配管Ｌ１５を通って過熱器１３から外部に排出される。過熱器１３の伝熱管２３の内面の洗浄は、所定時間行う。所定時間は、伝熱管２３の内面に付着した蒸発残渣の発生量に基づき予め設定しておく。所定時間が経過した後、制御装置１４は排出弁２４を閉止すると共に、三方弁２９を操作して飽和蒸気Ｓｔ１がボイラ１２から蒸気使用機器１１へ流れる方向に流路を切替える。その後、制御装置１４は流量調節弁Ｖ１１を開いて、過熱器１３への過熱媒体２１の供給を開始し、過熱器１３は飽和蒸気Ｓｔ１がボイラ１２から送気されるのに備える。
【００４９】
伝熱管２３の内面の洗浄は、ボイラ１２の運転開始時または蒸気使用機器１１の運転開始時に行ってもよい。制御装置１４は、伝熱管２３の内面に付着した蒸発残渣の発生量が所定の設定値を超えたと判断した場合、その次のボイラ１２の運転開始時または蒸気使用機器１１の運転開始時に伝熱管２３の内面の洗浄を行うようにすればよい。
【００５０】
なお、本実施形態では、伝熱管２３の被過熱面が内面であるため、伝熱管２３の内面を洗浄する場合について説明したが、過熱器１３内の過熱媒体２１と被過熱媒体である飽和蒸気Ｓｔ１との流路が逆の場合は、被過熱面は伝熱管２３の外面となる。そのため、過熱媒体２１と飽和蒸気Ｓｔ１との流路が逆の場合には、飽和蒸気Ｓｔ１は伝熱管２３の外面側を流れるようにして伝熱管２３の外面を洗浄するようにする。また、過熱器１３の蒸気排出配管Ｌ１４との連結箇所は、蒸発残渣を含んだ飽和蒸気Ｓｔ１を過熱器１３内から抜き出しやすくするため、胴体の底面に設けるようにする。
【００５１】
また、ボイラ１２への給水の水質を予め求め、ボイラ１２への給水の水質に基づいて許容される缶水の濃縮度の最大値が所定の閾値として設定される場合には、制御装置１４は、濃縮度センサ２７で検出される缶水の濃縮度が所定の閾値を超えているか否かのみを検出するようにしてもよい。制御装置１４は、濃縮度センサ２７で検出された缶水の濃縮度が所定の閾値を超えたと判断した場合には、過熱器１３への過熱媒体２１の供給を停止して過熱器１３の運転を停止し、洗浄媒体として飽和蒸気Ｓｔ１を過熱器１３内に供給し、伝熱管２３の内面を洗浄する。
【００５２】
ここまでは、制御装置１４が、飽和蒸気Ｓｔ１の乾き度を推定し、この推定された飽和蒸気Ｓｔ１の乾き度を用いて伝熱管２３の内面に付着した蒸発残渣の発生量を算出する場合について説明したが、制御装置１４は、飽和蒸気Ｓｔ１の乾き度を推定せず、ボイラ１２または過熱器１３の運転時間に応じて、過熱器１３への過熱媒体２１の供給を停止して洗浄媒体として飽和蒸気Ｓｔ１を過熱器１３内に供給するようにしてもよい。具体的には、制御装置１４は、ボイラ１２または過熱器１３の運転時間が所定の設定時間を経過した後、過熱器１３への過熱媒体２１の供給を停止し、過熱器１３内に、洗浄媒体として飽和蒸気Ｓｔ１を送気する。これにより、伝熱管２３の内面に付着した蒸発残渣は飽和蒸気Ｓｔ１中の水分に溶解され、伝熱管２３の内面が洗浄される。
【００５３】
所定の設定時間とは、過熱器１３内に洗浄媒体として飽和蒸気Ｓｔ１を供給して伝熱管２３の内面を洗浄してから、過熱器１３で飽和蒸気Ｓｔ１を過熱している運転時間が所定の時間を経過するまでである。このとき、伝熱管２３内に洗浄媒体を供給するタイミングは、過熱器１３に過熱媒体２１を供給して過熱器１３の運転を開始する前で過熱器１３で飽和蒸気Ｓｔ１を過熱する前とする。
【００５４】
このように、本実施形態に係る蒸気過熱システム１０は、過熱器１３への過熱媒体２１の供給を停止しているときに、洗浄媒体として飽和蒸気Ｓｔ１を伝熱管２３内に供給し、伝熱管２３の内面に付着した蒸発残渣を除去して伝熱管２３の内面の洗浄を行なうものである。これにより、本実施形態に係る蒸気過熱システム１０は、飽和蒸気Ｓｔ１を過熱器１３で過熱する際の飽和蒸気Ｓｔ１への伝熱効率が低下するのを抑制し、飽和蒸気Ｓｔ１を安定して過熱することができる。
【００５５】
なお、本発明は、上記実施形態に限定されるものではなく、発明の趣旨を逸脱しない範囲において、種々の変更をすることが可能である。例えば、本実施形態に係る蒸気過熱システム１０では、洗浄媒体として、ボイラ１２で発生した飽和蒸気Ｓｔ１を用いる場合について説明したが、洗浄媒体は、飽和蒸気Ｓｔ１に限定されるものではない。洗浄媒体は、飽和蒸気Ｓｔ１以外に、例えば外部から送気される蒸気なども同様に用いることができる。
【００５６】
また、本実施形態においては、１つのボイラ１２で発生させた飽和蒸気Ｓｔ１を飽和蒸気配管Ｌ１２を介して過熱器１３に送気するようにしているが、これに限定されるものではなく、複数のボイラ１２で発生させた飽和蒸気Ｓｔ１を過熱器１３に送気するようにしてもよい。
【００５７】
［第２の実施形態］
本発明の第２の実施形態に係る蒸気過熱システムについて説明する。本実施形態に係る蒸気過熱システムは、図１に示す第１の実施形態に係る蒸気過熱システム１０で用いた洗浄媒体を、飽和蒸気Ｓｔ１から水に変更したこと以外は第１の実施形態に係る蒸気過熱システムと同様であるため、重複した説明は省略する。
【００５８】
図２は、本発明の第２の実施形態に係る蒸気過熱システムの概略構成を示す図である。なお、図２では、飽和蒸気Ｓｔ１を過熱器１３で過熱している時および伝熱管２３の内面を洗浄している時の飽和蒸気Ｓｔ１、過熱蒸気Ｓｔ２、過熱媒体２１および洗浄媒体として用いる水を同時に示す。図２に示すように、本実施形態に係る蒸気過熱システム４０は、上記第１の実施形態に係る蒸気過熱システム１０（図１参照）に、三方弁４１と、洗浄媒体供給配管Ｌ２１とを備えたものである。三方弁４１は、飽和蒸気配管Ｌ１２に設けられ、洗浄媒体供給配管Ｌ２１と接続されている。洗浄媒体供給配管Ｌ２１は、外部から飽和蒸気配管Ｌ１２に水４２を供給するためのラインである。
【００５９】
洗浄媒体として水４２を用いる場合、水４２としては、例えば、水道水、地下水などの水のほかに、ボイラ１２へ給水する軟水、ボイラ１２のブロー水、蒸留水、純水といった水を用いることができる。
【００６０】
三方弁４１は、制御装置１４により制御される。制御装置１４は三方弁４１を操作して、飽和蒸気配管Ｌ１２内を通る飽和蒸気Ｓｔ１または洗浄媒体供給配管Ｌ２１から供給される水４２を過熱器１３に供給するように調節している。
【００６１】
制御装置１４は、蒸発残渣の発生量が所定の設定値を超えたと判断し、過熱器１３の伝熱管２３の内面の洗浄を行う場合、それ以降で蒸気使用機器１１の運転が停止したときまたは蒸気使用機器１１が過熱蒸気Ｓｔ２を使用しなくなったとき、流量調節弁Ｖ１１を閉じて過熱器１３への過熱媒体２１の供給を停止する。つぎに、制御装置１４は、三方弁２９を操作して過熱器１３から送気される飽和蒸気Ｓｔ１が洗浄媒体排出配管Ｌ１５へ流れる方向に流路を切替えると共に、蒸気排出配管Ｌ１４に設けた排出弁２４を開く。その後、三方弁４１を操作して洗浄媒体供給配管Ｌ２１から供給される水４２が過熱器１３へ流れる方向に流路を切替える。洗浄媒体供給配管Ｌ２１から供給される水４２は、過熱器１３の伝熱管２３の内面に付着している蒸発残渣を溶かしつつ流れる。過熱器１３から過熱蒸気配管Ｌ１３に排出された水４２は洗浄媒体排出配管Ｌ１５を通って外部に排出される。また、過熱器１３内の水４２の一部は蒸気排出配管Ｌ１４および洗浄媒体排出配管Ｌ１５を通って過熱器１３から外部に排出される。伝熱管２３の内面の洗浄は、所定時間行う。所定時間が経過した後、制御装置１４は、三方弁４１を操作して飽和蒸気Ｓｔ１がボイラ１２から過熱器１３へ流れる方向に流路を切替える。そして、制御装置１４は、排出弁２４を閉止すると共に、三方弁２９を操作して飽和蒸気Ｓｔ１がボイラ１２から蒸気使用機器１１へ流れる方向に流路を切替える。その後、制御装置１４は流量調節弁Ｖ１１を開いて過熱器１３への過熱媒体２１の供給を開始し、過熱器１３は飽和蒸気Ｓｔ１がボイラ１２から送気されるのに備える。
【００６２】
なお、本実施形態では、伝熱管２３の内面の洗浄を行う際、三方弁２９を操作して流路を切替えた後、三方弁４１を操作して流路を切替えるようにしているが、これに限定されるものではなく、三方弁２９、４１は同時に操作して流路を切替えるようにしてもよい。
【００６３】
また、伝熱管２３の内面を洗浄した後、制御装置１４は三方弁４１を操作して飽和蒸気Ｓｔ１がボイラ１２から過熱器１３へ流れる方向に流路を切替えた後、三方弁２９を操作して飽和蒸気Ｓｔ１の流路を切替える前に、所定時間、飽和蒸気Ｓｔ１を過熱器１３に供給して、伝熱管２３内に残る水４２を除去することが好ましい。伝熱管２３内に水４２が残ったまま過熱器１３に過熱媒体２１を供給すると伝熱管２３内の水４２が蒸発して伝熱管２３内に残った水４２に含まれる不純物に起因して蒸発残渣が発生する可能性がある。そのため、伝熱管２３内に水４２を供給した後は飽和蒸気Ｓｔ１を伝熱管２３内に送気して伝熱管２３内に残留する水４２を除去しておくようにする。また、飽和蒸気Ｓｔ１は洗浄媒体として用いることができるため、伝熱管２３の内面に残留した蒸発残渣を除去することができる。なお、伝熱管２３内に残る水４２を除去する際には、飽和蒸気Ｓｔ１以外に空気などを用いてもよい。
【００６４】
また、飽和蒸気Ｓｔ１も洗浄媒体として用いることができるため、飽和蒸気Ｓｔ１または水４２のどちらか一方を過熱器１３に供給した後、他方を過熱器１３に供給して洗浄してもよい。
【００６５】
このように、本実施形態に係る蒸気過熱システム４０によれば、洗浄媒体として水４２を用いる場合であっても、伝熱管２３の内面に付着した蒸発残渣などを除去して伝熱管２３の内面を洗浄することができる。このため、本実施形態に係る蒸気過熱システム４０でも、第１の実施形態に係る蒸気過熱システム１０と同様、飽和蒸気Ｓｔ１の過熱効率が低下するのを抑制し、飽和蒸気Ｓｔ１を安定して過熱することができる。
【００６６】
［第３の実施形態］
本発明の第３の実施形態に係る蒸気過熱システムについて説明する。本実施形態に係る蒸気過熱システムは、図１に示す第１の実施形態に係る蒸気過熱システムの過熱器を熱交換式の過熱器から電気式の過熱器に代えたこと以外は第１の実施形態に係る蒸気過熱システムと同様であるため、重複した説明は省略する。
【００６７】
図３は、本発明の第３の実施形態に係る蒸気過熱システムの概略構成を示す図である。なお、図３では、飽和蒸気Ｓｔ１を過熱器で過熱している時および過熱器内を洗浄している時の飽和蒸気Ｓｔ１と過熱蒸気Ｓｔ２とを同時に示す。図３に示すように、本実施形態に係る蒸気過熱システム５０Ａは、上記第１の実施形態に係る蒸気過熱システム１０（図１参照）の構成の熱交換式の過熱器１３に代えて電気式の過熱器５１を備えたものである。過熱器５１は、本体の内部に電気ヒータ５２を含んでいる。この電気ヒータ５２に電流を流した際に生じる熱が飽和蒸気Ｓｔ１を過熱して過熱蒸気Ｓｔ２とするための熱源として用いられている。電気ヒータ５２の加熱量は電源５３により調整される。この電源５３は本体の外部に設けられており、制御装置１４により制御される。制御装置１４は、電源５３の電圧を制御することで、過熱器５１における加熱量を調節し、過熱蒸気Ｓｔ２の過熱度を所定の過熱度に調節することができる。なお、本実施形態においては、飽和蒸気Ｓｔ１を過熱するための過熱手段として、電気ヒータ５２を用いているが、これに限定されるものではなく、例えば発熱コイル、電磁誘導により発熱する発熱体などを用いてもよい。
【００６８】
制御装置１４は、過熱器５１内の電気ヒータ５２の被過熱面である表面に付着した蒸発残渣の発生量が所定の設定値を超えたと判断し、電気ヒータ５２の表面の洗浄を行う場合、それ以降で蒸気使用機器１１の運転が停止したときまたは蒸気使用機器１１が過熱蒸気Ｓｔ２を使用しなくなったとき、電気ヒータ５２への通電を停止する。つぎに、制御装置１４は、三方弁２９を操作して過熱器５１から送気される飽和蒸気Ｓｔ１が洗浄媒体排出配管Ｌ１５へ流れる方向に流路を切替えると共に、蒸気排出配管Ｌ１４に設けた排出弁２４を開く。ボイラ１２から過熱器５１内に送気された飽和蒸気Ｓｔ１は、過熱器５１の電気ヒータ５２の表面に付着している蒸発残渣を溶かしつつ流れる。過熱器５１から過熱蒸気配管Ｌ１３に排出された飽和蒸気Ｓｔ１は洗浄媒体排出配管Ｌ１５を通って外部に排出される。また、過熱器５１内の飽和蒸気Ｓｔ１の一部は蒸気排出配管Ｌ１４および洗浄媒体排出配管Ｌ１５を通って過熱器５１から外部に排出される。電気ヒータ５２の表面の洗浄は、所定時間行う。所定時間が経過した後、制御装置１４は排出弁２４を閉止すると共に、三方弁２９を操作して飽和蒸気Ｓｔ１がボイラ１２から蒸気使用機器１１へ流れる方向に流路を切替え、電気ヒータ５２に通電し、過熱器５１は飽和蒸気Ｓｔ１がボイラ１２から送気されるのに備える。
【００６９】
電気ヒータ５２の表面の洗浄は、第１の実施形態に係る蒸気過熱システム１０と同様、ボイラ１２の運転開始時または蒸気使用機器１１の運転開始時に行ってもよい。制御装置１４は、電気ヒータ５２の表面に付着した蒸発残渣の発生量が所定の設定値を超えたと判断した場合、その次のボイラ１２の運転開始時または蒸気使用機器１１の運転開始時に電気ヒータ５２の表面の洗浄を行うようにすればよい。
【００７０】
よって、本実施形態に係る蒸気過熱システム５０Ａによれば、過熱器が電気式の過熱器５１の場合であっても、電気ヒータ５２の表面に付着した蒸発残渣などを除去して過熱器５１内を洗浄することができる。このため、本実施形態に係る蒸気過熱システム５０Ａでも、第１の実施形態に係る蒸気過熱システム１０と同様、飽和蒸気Ｓｔ１の過熱効率が低下するのを抑制し、飽和蒸気Ｓｔ１を安定して過熱することができる。
【００７１】
なお、本実施形態においては、洗浄媒体として、ボイラ１２で発生した飽和蒸気Ｓｔ１を用いた場合について説明したが、図２の第２の実施形態に係る蒸気過熱システム４０のように洗浄媒体として水４２を用いてもよい。
【００７２】
特に、洗浄媒体として水４２を用いる場合、水４２を過熱器５１の内部に効率良く供給できるようにしておくのが好ましい。洗浄媒体として水４２を用いる場合の蒸気過熱システムの他の構成の一例を図４に示す。図４に示すように、本実施形態に係る蒸気過熱システム５０Ｂは、洗浄媒体供給配管Ｌ２２と、ノズル５５とを備える。洗浄媒体供給配管Ｌ２２は、その先端の水流出口が過熱器５１の内部に挿入して設けられ、外部から水４２を供給するための洗浄媒体供給ラインである。ノズル５５は、洗浄媒体供給配管Ｌ２２の先端に設けられ、水４２を過熱器５１の内部に噴射する。なお、水４２はポンプ５６により供給され、水４２の供給量は、流量調節弁Ｖ１２で調節される。洗浄媒体供給配管Ｌ２２内を通る水４２をノズル５５から過熱器５１の内部に噴射することで、過熱器５１内に効率良く広範囲に水４２を供給することができる。これにより、電気ヒータ５２の表面に付着した蒸発残渣を効率よく水４２に溶かすことができるため、過熱器５１内の洗浄効率を向上させることができる。
【００７３】
また、本実施形態に係る蒸気過熱システム５０Ｂは、洗浄媒体として水４２と飽和蒸気Ｓｔ１とを過熱器５１の内部に供給して、過熱器５１内を洗浄するようにしてもよい。ノズル５５から噴射された水４２が過熱器５１内に供給された飽和蒸気Ｓｔ１に同伴されて過熱器５１内のより更に広範囲に供給されることで、過熱器５１内の洗浄効率を更に向上させることができる。
【００７４】
また、本実施形態に係る蒸気過熱システム５０Ｂは、水４２と飽和蒸気Ｓｔ１とを過熱器５１の内部にそれぞれ別々に供給しているが、これに限定されるものではなく、飽和蒸気配管Ｌ１２で水４２を飽和蒸気Ｓｔ１に混合してから過熱器１３に供給するようにしてもよい。
【００７５】
また、本実施形態においては、過熱器５１が電気ヒータ５２を本体の内部に備えている場合について説明したが、これに限定されるものではなく、例えば、電気ヒータ５２を本体の外部に設けるようにしてもよい。
【００７６】
以上、上記各実施形態に係る蒸気過熱システム１０、４０、５０Ａ、５０Ｂの各構成はこれに限定されるものではなく、上記各実施形態のいずれかの構成を適宜組み合わせるようにしてもよい。また、上記各実施形態に係る蒸気過熱システム１０、４０、５０Ａ、５０Ｂの各構成では、過熱器が熱交換式の過熱器または電気式の過熱器の場合について説明したが、これに限定されるものではなく、熱交換式または電気式以外の種々の形式のものを同様に用いることができる。
【符号の説明】
【００７７】
１０、４０、５０Ａ、５０Ｂ  蒸気過熱システム
１１  蒸気使用機器
１２  ボイラ（蒸気発生装置）
１３、５１  過熱器（蒸気過熱装置）
１４  制御装置
２１  過熱媒体
２３  伝熱管
２４  排出弁
２５  圧力センサ
２６  蒸気温度センサ
２７  濃縮度センサ（濃縮度検出手段）
２８  缶体内用圧力センサ（圧力検出手段）
２９、４１  三方弁
３０  計測器（運転計測手段）
４２  水
５２  電気ヒータ
５３  電源
５５  ノズル
５６  ポンプ
Ｌ１１  蒸気供給経路
Ｌ１２  飽和蒸気配管（飽和蒸気供給経路）
Ｌ１３  過熱蒸気配管（過熱蒸気供給経路）
Ｌ１４  蒸気排出配管
Ｌ１５  洗浄媒体排出配管
Ｌ２１、Ｌ２２  洗浄媒体供給配管
Ｓｔ１  飽和蒸気
Ｓｔ２  過熱蒸気
Ｖ１１、Ｖ１２  流量調節弁
【図１】
2014055696.tif 000003
【図２】
2014055696.tif 000004
【図３】
2014055696.tif 000005
【図４】
2014055696.tif 000006